(57)【特許請求の範囲】
【請求項１】
複数本のシールド電線を並列してなるフラットケーブルの端末を回路基板と接続することに用いるコネクタであって、
前記各シールド電線の芯線と個別に接続されるケーブル側端子金具が並設されるとともに、前記各シールド電線のシールド層にわたって接続されたシールドシェルが覆設されたケーブル側ハウジングと、
このケーブル側ハウジングと嵌合可能に前記回路基板上に設けられ、この回路基板上の導電路と接続されて前記ケーブル側端子金具と接続可能な基板側端子金具が並設された基板側ハウジングとを具備したものにおいて、
前記シールドシェルには、複数本のグランド端子が突設されて前記ケーブル側端子金具の間の位置に配されるとともに、
前記基板側ハウジングには、前記回路基板上のアース回路と接続されて前記グランド端子と接続可能な接続端子が装着されていることを特徴とするフラットケーブル用コネクタ。
【請求項２】
前記グランド端子は、前記シールドシェルの端縁から一体的に形成された舌片を曲げ加工して形成されていることを特徴とする請求項１記載のフラットケーブル用コネクタ。
【請求項３】
前記基板側ハウジングにも、前記回路基板上のアース回路と接続されたシールドシェルが覆設されていることを特徴とする請求項１または請求項２記載のフラットケーブル用コネクタ。
【発明の詳細な説明】
【０００１】
【発明の属する技術分野】
本発明は、複数本のシールド電線を並列してなるフラットケーブルの端末に接続して用いられるコネクタに関する。
【０００２】
【従来の技術】
従来この種のフラットケーブル用コネクタとして、次のようなものが知られている。これは、回路基板に取り付けられるハウジングを有し、このハウジング内には、フラットケーブルを構成する各シールド電線の芯線と個別に接続可能な端子金具が並んで装着されて回路基板上の導電路と接続されるとともに、ハウジングを覆うようにして各シールド電線のシールド層にわたって接続可能なシールドシェルが設けられ、このシールドシェルにおける端子金具の並列方向の両側の面に突設された接続部が回路基板上のアース回路と接続されている。
【０００３】
そして係るコネクタにフラットケーブルの端末が接続されると、各シールド電線の芯線と回路基板上の対応する導電路にわたって個別の信号線が形成されるとともに、シールドシェルを介して各シールド電線から共通のアースが取られ、併せてシールドシェルにより放射ノイズを除去する等のシールド効果が得られるようになっている。
なおこのようなコネクタは、例えば特開平１０−２５５９２１号公報に記載されている。
【０００４】
【発明が解決しようとする課題】
しかるに従来のコネクタでは、使用目的によってはノイズ除去のためのシールド能力が不足する場合があり、さらなる改良が切望されていた。
本発明は上記のような要望に基づいて完成されたものであって、その目的は、シールド能力をさらに高めるところにある。
【０００５】
【課題を解決するための手段】
上記の目的を達成するための手段として、請求項１の発明は、複数本のシールド電線を並列してなるフラットケーブルの端末を回路基板と接続することに用いるコネクタであって、前記各シールド電線の芯線と個別に接続されるケーブル側端子金具が並設されるとともに、前記各シールド電線のシールド層にわたって接続されたシールドシェルが覆設されたケーブル側ハウジングと、このケーブル側ハウジングと嵌合可能に前記回路基板上に設けられ、この回路基板上の導電路と接続されて前記ケーブル側端子金具と接続可能な基板側端子金具が並設された基板側ハウジングとを具備したものにおいて、前記シールドシェルには、複数本のグランド端子が突設されて前記ケーブル側端子金具の間の位置に配されるとともに、前記基板側ハウジングには、前記回路基板上のアース回路と接続されて前記グランド端子と接続可能な接続端子が装着されている構成としたところに特徴を有する。
【０００６】
請求項２の発明は、請求項１に記載のものにおいて、前記グランド端子は、前記シールドシェルの端縁から一体的に形成された舌片を曲げ加工して形成されているところに特徴を有する。
請求項３の発明は、請求項１または請求項２に記載のものにおいて、前記基板側ハウジングにも、前記回路基板上のアース回路と接続されたシールドシェルが覆設されているところに特徴を有する。
【０００７】
【発明の作用及び効果】
＜請求項１の発明＞
両ハウジングが嵌合されると、シールドシェルから突設されたグランド端子が基板側ハウジングに装着された接続端子を介して回路基板のアース回路に接続される。
複数本のグランド端子がケーブル側端子金具の間に配されてアース回路と接続されているから、シールド電線からシールドシェルに流れる電流が、信号電流と逆向きにシールドシェルの奥まで広範囲に流れるようになることで、広範囲にわたってノイズを打ち消すことができ、すなわちシールド能力が高められる。しかもグランド端子はケーブル側端子金具の間に配されているから、特にケーブル側ハウジングの厚さ方向に余分な配設スペースを要さず、小型化に寄与し得る。
【０００８】
＜請求項２の発明＞
グランド端子を含めたシールドシェルの構造がシンプルにまとまり、かつ製造も容易となる。
＜請求項３の発明＞
フラットケーブルの端末部分でより広範囲にわたってノイズ除去能力を発揮することができる。
【０００９】
【発明の実施の形態】
以下、本発明の一実施形態を図１ないし図９に基づいて説明する。
この実施形態では、図１に示すように、フラットケーブル１０の端末に取り付けられるケーブル側コネクタ２０（以下、プラグという）と、回路基板９０（図６等）に固定される基板側コネクタ７０（以下、リセプタクルという）とを備えている。
なお、プラグ２０とリセプタクル７０とについては、それぞれの嵌合面側を前面として説明する。
【００１０】
フラットケーブル１０は、図２に示すように、複数本（図示６本）のシールド電線１１が所定間隔を開けて並列して配され、図示しないフィルムで覆われて帯状に形成されており、各シールド電線１１のシールド層１４（図６）にわたって短絡体１６が固定されている。各シールド電線１１の端末では所定寸法にわたって内部被覆１３が露出され、それぞれの途中位置でさらに皮剥きされて芯線１２が露出されており、内部被覆１３の先端同士が整列シート１７で連結されることによって、芯線１２同士も所定間隔を開けた並列状態に保持されている。
【００１１】
プラグ２０は、図２に示すように、ケーブル側ハウジング２１と、これに装着される図示６本のケーブル側端子金具２３と、上下のシールド板５１，５２とから構成されている。この上下のシールド板５１，５２によって、本発明のシールドシェルに相当する第１シールドシェル５０が構成されている。
ケーブル側端子金具２３は、圧接タイプの端子金具であって、図３に示すように、先端側から順次に、一段高く屈曲形成された接触部２４と、側方に張り出した圧入部２５と、圧接部２６とが設けられている。圧接部２６は詳細には、二股となって後方に延出されたのち後端が上方に屈曲され、この屈曲部２７に上記したシールド電線１１の芯線１２を圧接する圧接溝２８が設けられている。
【００１２】
ケーブル側ハウジング２１は、合成樹脂材によって平面方形状をなす厚板状に形成され、その左右両側縁の手前側の端部からは一対の嵌合腕３０が突設されている。
ケーブル側ハウジング２１の前半部分には、ケーブル側端子金具２３の装着領域が設定されている。この端子装着領域３１には、上記したケーブル側端子金具２３を挿入可能な図示６本の端子挿入溝３２が横幅方向に間隔を開けて形成されている。各端子挿入溝３２の先端部は、ケーブル側端子金具２３の接触部２４の左右両側を覆う一対の保護片３４から形成されている。各保護片３４対の間には、後記するグランド端子６７を収容するための図示５本の収容溝３５が形成されている。
【００１３】
保護片３４の形成位置の直後には、全端子挿入溝３２を横切るようにして前部突条３７が形成され、この前部突条３７の上面には、各端子挿入溝３２に達する圧入孔３８が形成されている。この圧入孔３８は、前後方向の中央部に、ケーブル側端子金具２３の圧入部２５が上方から挿入可能な幅広部３８Ａが形成され、その後方に幅狭部３８Ｂが形成された段付き形状となっている。
一方、端子装着領域３１の後端には、同じく全端子挿入溝３２を横切るようにして後部突条４０が形成されており、その内部には、各ケーブル側端子金具２３の圧接部２６における屈曲部２７をそれぞれ前方から挿入可能なくり抜き孔４１が形成されている。各くり抜き孔４１の天井面には、シールド電線１１の芯線１２を挿通可能な前後方向のスリット４２が形成されている。
【００１４】
従ってケーブル側端子金具２３は、その圧入部２５を圧入孔３８の幅広部３８Ａに合わせて対応する端子挿入溝３２に上方から挿入され、そののち後方に押し込まれると、圧入部２５が幅狭部３８Ｂとの段付部に食い込むことで固定される。このとき、ケーブル側端子金具２３の接触部２４は一対の保護片３４の間に収まるとともに、圧接部２６の屈曲部２７がくり抜き孔４１内に進入して、圧接溝２８がスリット４２の直下に整合するようになっている。
【００１５】
一方、ケーブル側ハウジング２１の後半部分には、上記の端子装着領域３１の後端部分とラップするようにして、フラットケーブル１０の端末の装着領域が設定されている。このケーブル装着領域４４の後縁には、フラットケーブル１０の各シールド電線１１を仕切って配線する仕切柱４５が立てられ、その所定間隔を開けた前方には、各シールド電線１１のうちの内部被覆１３が露出された部分を仕切って配線する位置決め溝４６が形成されている。この位置決め溝４６の形成部分と、仕切柱４５の並設部分の間には、フラットケーブル１０の短絡体１６を収容可能な第１収容面４７がほぼ全幅にわたって形成されているとともに、上記の後部突条４０の各スリット４２に、シールド電線１１における芯線１２が上方から挿通可能となっている。また、ケーブル装着領域４４の前端部分となる前部突条３７の後方位置には、第２収容面４８がほぼ全幅にわたって設けられ、フラットケーブル１０の整列シート１７が先に装着されたケーブル側端子金具２３群を横切って重なるようにして収容可能となっている。
【００１６】
次に、第１シールドシェル５０について説明する。下側のシールド板５１は、図４に示すように、ケーブル側ハウジング２１の底面から左右の側面を覆って装着可能な形状に形成されている。この下シールド板５１は、基板５１Ａの後縁に形成されたフック５３をケーブル側ハウジング２１の後縁の仕切柱４５の間に引っ掛け、側板５４の先端上部に形成された押さえ板５５によって嵌合腕３０の上面を押さえることで、ケーブル側ハウジング２１に装着されている。
【００１７】
下シールド板５１における基板５１Ａの後端寄りの位置には、フラットケーブル１０の短絡体１６の下面に接触する接触片５６が斜めに切り起こし形成されているとともに、その左右両側には、短絡体１６の両端部に係止する前後一対ずつの係止鈎５７が、ケーブル側ハウジング２１の上面に貫通するように設けられている。
一方、左右両側板５４の上面には、それぞれ前後２箇所に係止溝５８が形成されているとともに、両側板５４の側面の先端寄りの位置には、後記するリセプタクル７０に設けられた第２シールドシェル８５との間をロックするためのロック突部５９が、窓孔６０を通して弾性的な進退可能に設けられている。
【００１８】
上シールド板５２は、図１に示すように、ケーブル側ハウジング２１における後縁から前部突条３７の形成位置までの上面を覆う形状に形成されている。この上シールド板５２は、左右の側縁の前後２箇所に、上記した下シールド板５１の係止溝５８にそれぞれ挿入される係止爪６２が形成されている。
上シールド板５２の後端側には、フラットケーブル１０の短絡体１６の上面に接触する左右２枚の接触片６３が同様に斜めに切り起こし形成されている。また、接触片６３の前方には、各シールド電線１１における芯線１２の圧接部分を挟んだ前後両側をそれぞれ押圧する押圧部６４，６５が凹み形成されている。
【００１９】
上シールド板５２は、各係止爪６２を対応する係止溝５８に差し込むことで下シールド板５１に一体的に組み付けられ、両シールド板５１，５２によって扁平な筒形をなす第１シールドシェル５０が形成され、ケーブル側ハウジング２１の上下及び左右の面を覆って装着されるようになっている。
そして、上シールド板５２の前縁からは図示５本の舌片が突設され、それぞれの舌片は、根元部分が下方に屈曲されたのち前方に延出するように曲げ成形されることでグランド端子６７が形成されている。このグランド端子６７は、上記のように上シールド板５２が下シールド板５１に対して正規に組み付けられた場合に、ケーブル側ハウジング２１における保護片３４対の間の各収容溝３５内に、ケーブル側端子金具２３の接触部２４と同一高さで収容されるようになっている。
【００２０】
さらにリセプタクル７０の構造を、図１，図６及び図８によって説明する、リセプタクル７０は、基板側ハウジング７１と、これに装着される図示６本の基板側端子金具７３と、図示５本の接続端子７４と、第２シールドシェル８５とから構成されている。
基板側端子金具７３と接続端子７４とは同一形状に形成されており、先端側（図６，８の右側）に二股部７５が形成されているとともに、後端部には回路基板９０の導電路またはアース回路に接続される取付部７６が形成されている。
【００２１】
基板側ハウジング７１は、上記したケーブル側ハウジング２１よりも前後方向に短寸で、その一方でやや幅広の厚板状に形成されている。基板側ハウジング７１の前面（図６，８の右側）には、その幅方向の両端部に、ケーブル側ハウジング２１の嵌合腕３０が嵌合可能な嵌合孔７９が開口されているとともに、その間に、ケーブル側ハウジング２１の前縁の保護片３４の形成部分が嵌入可能な嵌入溝８０が開口されている。
一方、基板側ハウジング７１の後面には、スリット状をなして嵌入溝８０に開口する図示１１本の取付溝８１が、一定のピッチで幅方向に並んで形成されている。
【００２２】
各取付溝８１のうち、一端から始まって１本置きが基板側端子金具７３用の取付溝８１であり、その間が接続端子７４用の取付溝８１となっている。
基板側端子金具７３と接続端子７４とは、それぞれ対応する取付溝８１に後方から挿入され、圧入部７７を取付溝８１の底面に食い込ませることで抜け止め状態に取り付けられ、それぞれ二股部７５が嵌入溝８０内に突出し、取付部７６は基板側ハウジング７１の後縁から後方に突出するようになっている。
【００２３】
リセプタクル７０側の第２シールドシェル８５は、略々前後両面に開口した扁平な箱形に形成され、基板側ハウジング７１の上下及び左右の面を覆って装着されるようになっている。この第２シールドシェル８５の上面の左右両端部には、上記したプラグ２０側の下シールド板５１の押さえ板５５に接触する左右２枚の接触片８６が斜めに切り起こし形成されているとともに、第２シールドシェル８５の後縁と左右の側面からは、回路基板９０にハンダ付けされて取り付けられる取付片８７が突設されている。なお、この取付片８７は回路基板９０上のアース回路に接続されることでグランド部としても機能するようになっている。
また、第２シールドシェル８５の左右の側面の前縁からは、ケーブル側ハウジング２１の嵌合腕３０の外側に沿うような連結片８８が突設され、各連結片８８に、ロック突部５９を嵌合可能なロック孔８９が開口されている。
【００２４】
続いて、本実施形態の作用を説明する。
プラグ２０では、図２に示すように、ケーブル側ハウジング２１の各端子挿入溝３２にケーブル側端子金具２３が挿入されるとともに、下シールド板５１が装着される。続いて、フラットケーブル１０の端末が、同図の矢線Ａに示すように、ケーブル側ハウジング２１のケーブル装着領域４４に上方から装着される。これに伴い、各シールド電線１１の芯線１２が後部突条４０の対応するスリット４２を通過して、ケーブル側端子金具２３の圧接溝２８に圧入される（図６参照）。これにより、各シールド電線１１とケーブル側端子金具２３同士が接続される。また図５に示すように、フラットケーブル１０の短絡体１６が、係止鈎５７によって抜け止め状態に取り付けられる。
【００２５】
次に、上シールド板５２が図２の矢線Ｂに示すように上方から被着され、図１に示すように下シールド板５１に一体に組み付けられて第１シールドシェル５０となってケーブル側ハウジング２１を覆う。このとき、図６に示すように、各シールド電線１１における芯線１２の圧接部分の前後が押圧部６４，６５で押さえ付けられて、圧接状態に保持される。また、短絡体１６が上下のシールド板５１，５２の接触片５６，６３で弾性的に挟持され、短絡体１６すなわち各シールド電線１１のシールド層１４と、第１シールドシェル５０とが電気的に接続される。
また、上シールド板５２の前縁に設けられたグランド端子６７が対応する収容溝３５に収容され、各ケーブル側端子金具２３の接触部２４の間の位置ごとに並んで配される。
【００２６】
一方リセプタクル７０では、基板側ハウジング７１の取付溝８１に、基板側端子金具７３と接続端子７４とが交互に挿入されるとともに、基板側ハウジング７１を覆って第２シールドシェル８５が取り付けられる。このようなリセプタクル７０が回路基板９０の所定位置に配され、４枚の取付片８７が回路基板９０上に形成されたアース回路に対して、ハンダ付けによって固定かつ接続される。
それとともに、各基板側端子金具７３の取付部７６が、回路基板９０上に形成された対応する導電路とハンダ付けにより固定かつ接続され、一方接続端子７４の取付部７６も、導電路の間に形成されたアース回路に対して、同じくハンダ付けによって固定かつ接続される。
【００２７】
そして、図１の矢線Ｃに示すように、プラグ２０がリセプタクル７０に対して嵌合され、ケーブル側ハウジング２１の保護片３４の形成部分が、基板側ハウジング７１の嵌入溝８０に嵌入される。正規位置まで嵌合されると、プラグ２０側のロック突部５９が、リセプタクル７０側の連結片８８のロック孔８９に弾性的に嵌合し、プラグ２０とリセプタクル７０とが嵌合状態にロックされる。
このとき、第１と第２のシールドシェル５０，８５は前後に繋がった状態となり、接触片８６を介して互いに電気接続される。
【００２８】
また各ケーブル側端子金具２３の接触部２４が、図７に示すように、対応する基板側端子金具７３の二股部７５を開きつつその間に嵌入され、対応する端子金具２３，７３同士が接続される。それとともに、図９に示すように、グランド端子６７が対応する接続端子７４の二股部７５を開きつつその間に嵌入されて接続される。
これにより、フラットケーブル１０を構成する各シールド電線１１の芯線１２から、ケーブル側端子金具２３、基板側端子金具７３を介して回路基板９０上の対応する導電路にわたって個別の信号線が形成されるとともに、短絡体１６からシールドシェル５０，８５を介して各シールド電線１１から共通のアースが取られ、併せてシールドシェル５０，８５により放射ノイズを除去する等のシールド効果が得られる。
【００２９】
本実施形態では、特にプラグ２０側の第１シールドシェル５０を回路基板９０のアース回路に接続するに当たり、その第１シールドシェル５０の前縁のほぼ全幅にわたって複数本のグランド端子６７を設けて、同じく基板側ハウジング７１のほぼ全幅にわたって装着された接続端子７４を介して回路基板９０のアース回路に接続する構造を採用したから、シールド電線１１から第１シールドシェル５０に流れる電流が、信号電流と逆向きに第１シールドシェル５０の奥まで広範囲に流れるようになることで、広範囲にわたってノイズを打ち消すことができ、すなわちシールド能力が高められる。しかも、グランド端子６７は横並びに配された各ケーブル側端子金具２３の間の位置に配されているから、特にケーブル側ハウジング２１の厚さ方向に余分な配設スペースを要さず、小型化に寄与することができる。
なお本発明は上記記述及び図面によって説明した実施形態に限定されるものではなく、その要旨を逸脱しない範囲内で種々変更して実施することができる。
【図面の簡単な説明】
【図１】本発明の一実施形態に係るプラグをリセプタクルに嵌合する前の斜視図
【図２】プラグの分解斜視図
【図３】ケーブル側端子金具の斜視図
【図４】下シールド板の斜視図
【図５】フラットケーブルの端末を装着した状態の斜視図
【図６】ケーブル側端子金具の装着位置における嵌合前の縦断面図
【図７】その嵌合後の縦断面図
【図８】グランド端子の装着位置における嵌合前の縦断面図
【図９】その嵌合後の縦断面図
【符号の説明】
１０…フラットケーブル
１１…シールド電線
１２…芯線
１４…シールド層
１６…短絡体
２０…プラグ
２１…ケーブル側ハウジング
２３…ケーブル側端子金具
２４…接触部
３４…保護片
３５…収容溝
５０…第１シールドシェル
５２…上シールド板
６７…グランド端子
７０…リセプタクル
７１…基板側ハウジング
７３…基板側端子金具
７４…接続端子
８５…第２シールドシェル
８７…取付片
９０…回路基板
【図１】
0003637859.tif 000002
【図２】
0003637859.tif 000003
【図３】
0003637859.tif 000004
【図４】
0003637859.tif 000005
【図５】
0003637859.tif 000006
【図６】
0003637859.tif 000007
【図７】
0003637859.tif 000008
【図８】
0003637859.tif 000009
【図９】
0003637859.tif 000010